(57)【要約】  【課題】反射シートの移動を防止しつつ、より薄型化が可能な液晶表示装置を提供する。  【解決手段】液晶表示パネル２の裏面側にバックライト21を対向させる。バックライト21の裏面27側に反射シート33を取り付ける。バックライト21をフレーム41で保持する。フレーム41の下端側に設けた支持片部47の上端側に、反射シート33に固定した固定シート34の下端側が当接する。支持片部47への固定シート34の当接により反射シート33の下端側への移動を規制して防止できる。反射シート33をバックライト21およびフレーム41に両面テープなどで貼り付ける必要がない。バックライト21、反射シート33およびフレーム41間の厚さをより薄くできる。  【選択図】図１
2005085584.tif 000002
【特許請求の範囲】
【請求項１】
表示領域を備えた平面表示パネルと、
この平面表示パネルに対向して取り付けられ、前記平面表示パネルの表示領域に面状の光を照射する面状光源装置と、
この面状光源装置を保持するフレームとを有し、
前記面状光源装置は、管状光源と、この管状光源に一端を対向させて配置された導光体と、前記導光体の前記平面表示パネルと反対側に配置されたシート状の光学シートとを備え、
前記光学シートの前記導光体と反対側には、前記導光体に対する前記光学シートの平面方向の移動を規制する移動規制部を有し、
前記フレームと一体的に形成された支持片部が前記移動規制部に対するストッパの機能を有する
ことを特徴とした平面表示装置。
【請求項２】
支持片部は、移動規制部よりも管状光源側に位置している
ことを特徴とした請求項１記載の平面表示装置。
【請求項３】
導光体をフレームに固定させるテープ体を具備した
ことを特徴とした請求項１記載の平面表示装置。
【請求項４】
光学シートは、導光体に固定されずにフレームに保持されている
ことを特徴とした請求項１記載の平面表示装置。
【請求項５】
導光体は、プリズムが一体的に形成されたプリズム導光体である
ことを特徴とした請求項１記載の平面表示装置。
【請求項６】
管状光源と、
この管状光源に一端を対向させて配置された導光体と、
この導光体の光出射面と反対側に配置されたシート状の光学シートと、
前記導光体および前記光学シートを保持するフレームとを備え、
前記光学シートの前記導光体と反対側には、この導光体に対する前記光学シートの平面方向の移動を規制する移動規制部を有し、
前記フレームと一体的に形成された支持片部が前記移動規制部に対するストッパの機能を有する
ことを特徴とした面状光源装置。
【発明の詳細な説明】
【技術分野】
【０００１】
本発明は、面状光源装置およびこの面状光源装置からの面状の光を平面表示パネルの表示領域に照射させる平面表示装置に関する。
【背景技術】
【０００２】
近年、この種の平面表示装置としての液晶表示装置は、主としてノート型のパーソナルコンピュータ(ＰＣ)の画像表示部として利用されているとともに、薄型および軽量の特徴を生かして、各種の分野で利用されている。そして、この液晶表示装置は、画像を表示させる表示領域としての表示画面エリアが中央部に形成された平面表示パネルとしての矩形平板状の液晶パネルを備えている。この液晶パネルは、この液晶パネルの表示領域を露出させた状態で矩形枠状のベゼル内に配設されて取り付けられている。
【０００３】
さらに、この液晶パネルの裏面側には、この液晶パネルの表示画面エリアへと面状の光を照射させる面光源装置としてのバックライトが取り付けられている。そして、これら液晶パネルおよびバックライトは、互いに平行に対向させた状態でフレームに保持されており、これら液晶パネルおよびバックライドが保持されたフレームは、液晶パネルの表示画面エリアを露出させつつベゼル内に収容されて取り付けられている。
【０００４】
そして、このバックライトは、細長円筒状の線状光源としての放電ランプである冷陰極管を備えており、この冷陰極管に一辺を対向させた状態で、この冷陰極管からの線状の光を一主面である表面に向けて面状に屈折させて面状光源に変換する矩形平板状のプリズム導光体が取り付けられている。このプリズム導光体は光透過性を有する樹脂などにて成形されており、このプリズム導光体の他主面である裏面側にはプリズムが成形されている。
【０００５】
また、冷陰極管は、この冷陰極管からの光を反射させてプリズム導光体の一辺へと照射させる反射体としての略コ字状に湾曲したシート状のランプリフレクタにて周方向に沿って覆われている。そして、このランプリフレクタの両端部は、プリズム導光体の一辺の表裏面に取り付けられている。ここで、このプリズム導光体の表面には、このプリズム導光体の輝度むらの均一化や輝度を向上させる矩形シート状の光学シートが貼り付けられている。また、このプリズム導光体の裏面には、このプリズム導光体の裏面から照射される光をこのプリズム導光体の表面側に向けて反射させる光学シートとしての矩形シート状の反射シートが取り付けられている(例えば、特許文献１参照。)。
【０００６】
一般的に、この反射シートは、バックライトにおける冷陰極管の反対側である反ランプ側において、フレームに対して両面テープにて貼り付けられて固定されているとともに、プリズム導光体の裏面に対しても両面テープにて貼り付けられて固定されている。さらに、この反射シートは、フレームの裏面側から、このフレームおよび反射シートに亘って片面テープが貼り付けられて、このフレームに固定されている。
【特許文献１】特開２００２−２７００２４号公報（第３−５頁、図３および図４）
【発明の開示】
【発明が解決しようとする課題】
【０００７】
しかしながら、上述した液晶表示装置では、使用時の温度上昇によって、フレームあるいはバックライトのプリズム導光体に対して反射シートを固定させた両面テープおよび片面テープの接着剤が軟らかくなってしまうおそれがある。このため、これら両面テープおよび片面テープの接着剤が柔らかくなることにより、反射シートが、バックライトにおける冷陰極管側であるランプ側にずれて移動してしまう。この結果、このバックライトのプリズム導光体に対して反射シートを固定させている両面テープが、液晶パネルの表示画面エリア内に透けて見えてしまうなどの不具合が生じるおそれがある。
【０００８】
また、反射シートの表裏面の重なり合う位置に両面テープをそれぞれ貼り付けて、この反射シートをバックライトのプリズム導光体とフレームとの間に固定させている。このため、この反射シートに対して両面テープが二重に貼り付けられた状態となるから、液晶表示装置が厚くなってしまうという問題を有している。
【０００９】
本発明は、このような点に鑑みなされたもので、光学シートの移動を防止しつつより薄くできる平面表示装置および面状光源装置を提供することを目的とする。
【課題を解決するための手段】
【００１０】
本発明は、表示領域を備えた平面表示パネルと、この平面表示パネルに対向して取り付けられ、前記平面表示パネルの表示領域に面状の光を照射する面状光源装置と、この面状光源装置を保持するフレームとを有し、前記面状光源装置は、管状光源と、この管状光源に一端を対向させて配置された導光体と、前記導光体の前記平面表示パネルと反対側に配置されたシート状の光学シートとを備え、前記光学シートの前記導光体と反対側には、前記導光体に対する前記光学シートの平面方向の移動を規制する移動規制部を有し、前記フレームと一体的に形成された支持片部が前記移動規制部に対するストッパの機能を有するものである。
【００１１】
そして、平面表示パネルの表示領域に面状の光を照射する面状光源装置を、平面表示パネルに対向して取り付ける。面状光源装置をフレームにて保持する。このとき、面状光源装置の管状光源に一端を対向させて導光体が配置されており、この導光体の平面表示パネルと反対側にシート状の光学シートが配置されている。さらに、この光学シートの導光体と反対側の移動規制部が、導光体に対する光学シートの平面方向の移動を規制する。また、フレームと一体的に形成した支持片部が移動規制部に対するストッパの機能を有する。したがって、この光学シートによる導光体およびフレームに対する平面方向への移動を移動規制部および支持片部にて防止できる。よって、この光学シートを導光体およびフレームのそれぞれに両面テープなどで貼り付けて固定させる必要がなくなるので、これら導光体、光学シートおよびフレーム間の厚さをより薄くできる。
【００１２】
また、本発明は、管状光源と、この管状光源に一端を対向させて配置された導光体と、この導光体の光出射面と反対側に配置されたシート状の光学シートと、前記導光体および前記光学シートを保持するフレームとを備え、前記光学シートの前記導光体と反対側には、この導光体に対する前記光学シートの平面方向の移動を規制する移動規制部を有し、前記フレームと一体的に形成された支持片部が前記移動規制部に対するストッパの機能を有するものである。
【００１３】
そして、管状光源に一端を対向させて配置された導光体の光出射面と反対側にシート状の光学シートを配置する。また、導光体および光学シートをフレームにて保持する。このとき、光学シートの導光体と反対側のする移動規制部が、導光体に対する光学シートの平面方向の移動を規制する。また、フレームと一体的に形成した支持片部が、移動規制部に対するストッパの機能を有する。この結果、光学シートによる導光体およびフレームに対する平面方向への移動を移動規制部および支持片部にて防止できる。よって、この光学シートを導光体およびフレームのそれぞれに両面テープなどで貼り付けて固定させる必要がなくなるので、これら導光体、光学シートおよびフレーム間の厚さをより薄くできる。
【発明の効果】
【００１４】
本発明によれば、フレームの支持片部が面状光源装置に対する光学シートの移動を規制するので、この光学シートを面状光源装置およびフレームに両面テープなどで貼り付ける必要がなくなるから、これら面状光源装置、光学シートおよびフレーム間の厚さをより薄くできる。
【００１５】
また、フレームの支持片部が、導光体に対する光学シートの移動を規制するので、この光学シートを導光体およびフレームのそれぞれに両面テープなどで貼り付ける必要がなくなるから、これら導光体、光学シートおよびフレーム間の厚さをより薄くできる。
【発明を実施するための最良の形態】
【００１６】
以下、本発明の面状光源装置および平面表示装置の一実施の形態の構成を図１を参照して説明する。
【００１７】
図１において、１は平面表示装置としての透過型の液晶表示装置で、この液晶表示装置１は比較的大型で、狭額縁および携帯性に優れた薄型である。そして、この液晶表示装置１は、主としてノート型のパーソナルコンピュータ(ＰＣ)の画像表示部などとして用いられる透過型の平面表示パネルとしての略矩形平板状の液晶表示パネル２を備えている。この液晶表示パネル２は、例えば対角１２型であり、光変調層を液晶層としている。さらに、この液晶表示パネル２の中央部には、画像を表示させる表示領域としての矩形状の表示画面エリア３が形成されている。この表示画面エリア３には、複数の図示しない表示画素がマトリクス状に配列されている。
【００１８】
また、液晶表示パネル２は、図示しない薄膜トランジスタ(ＴＦＴ)が一主面である表面にマトリクス状に設けられたアレイ基板４を備えている。そして、このアレイ基板４の表面には、裏面側に図示しない対向電極が形成された対向基板５が対向されて配設されている。この対向基板５の高さ方向における一側部である上端部は、アレイ基板４の上端部よりも内側に位置している。なお、この対向基板５の高さ方向とは、図１における左側を上とし、右側を下とした際の上下方向である。さらに、これらアレイ基板４と対向基板５との間には図示しない液晶層が介挿されて封止されて液晶表示パネル２が構成されている。
【００１９】
そして、この液晶表示パネル２の高さ方向における一側縁であるアレイ基板４の上端部の表面側には、回路基板としての細長矩形平板状のドライバ回路６がフレキシブルな細長矩形平板状のプリント配線基板(Flexible Print Circuit:ＦＰＣ)７を介して取り付けられている。ここで、このドライバ回路６は、液晶表示パネル２に電気的に接続され駆動信号を供給して、この液晶表示パネル２を駆動させ、この液晶表示パネル２の表示画面エリア３に画像を表示させる。
【００２０】
また、この液晶表示パネル２の表面および裏面のそれぞれには、偏光板8a,8bが配置されている。
【００２１】
さらに、この液晶表示パネル２の一主面である表面側には、矩形枠状のベゼル11が取り付けられている。このベゼル11は、液晶表示パネル２の表示画面エリア３を露出させる矩形状の窓部12が中央部に開口形成された矩形枠状の本体部13を備えている。この本体部13の窓部12は、液晶表示パネル２の表示画面エリア３に対応した形状に形成されている。また、この本体部13の外周縁には、この本体部13の裏面側に液晶表示パネル２を収容させた際に、この液晶表示パネル２の縁部を覆う外周縁部14が垂直に突出した状態で一体的に設けられている。
【００２２】
一方、液晶表示パネル２の裏面側には、この液晶表示パネル２の表示画面エリア３へと面状の光を入射させる矩形平板状の面状光源装置としてのバックライト21が対向されて取り付けられている。このバックライト21は、このバックライト21の一主面である表面側を液晶表示パネル２の裏面に対向させた状態で、この液晶表示パネル２とともにベゼル11の外周縁部14の内側に収容されている。なお、この液晶表示パネル２に取り付けられたドライバ回路６は、液晶表示パネル２の裏面側にバックライト21の表面側を対向させた状態で、このバックライト21の裏面側にプリント配線基板７を湾曲させることにより、このバックライト21の裏面側に配設されている。
【００２３】
さらに、このバックライト21は、細長円筒状の管状光源である放電ランプとしての冷陰極管22を備えている。この冷陰極管22の長手方向における両端部には、弾性を有するゴムなどにより成形されたランプホルダ23が嵌合されて取り付けられている。さらに、この冷陰極管22の両端部のそれぞれには、ケーブル24の一端部が接続されており、これらケーブル24それぞれの他端部には、コネクタとしての図示しないハウジングが取り付けられている。
【００２４】
また、冷陰極管22の外周面に対して一辺であるランプ側としての一端である光入射面25を平行に対向させた状態で、矩形略平板状の面状光源変換体であるプリズム導光体26が配置されて配設されている。このプリズム導光体26は光透過性を有する樹脂などにより成形されており、このプリズム導光体26の他主面としての非光出射面である裏面27には図示しないプリズムが一体的に形成されている。そして、このプリズム導光体26は、冷陰極管22からの線状の光が光入射面25を介して入射されて、この線状の光をプリズム導光体26の一主面である光出射面としての表面28側に向けて面状に屈折させて面状光源に変換して、この面状の光を液晶表示パネル２の表示画面エリア３に照射させる。
【００２５】
さらに、このプリズム導光体26は、このプリズム導光体26の光入射面25から入射する光を、このプリズム導光体26の表面28へと均等に屈折および反射させるともに、このプリズム導光体26の他辺である反ランプ側としての非光入射面29よりの裏面27側にドライバ回路６の収容スペースを確保するために、この光入射面25側から非光入射面29側に向けて高さ方向に沿って平行に徐々に薄くされている。
【００２６】
そして、このプリズム導光体26の表面28には、このプリズム導光体26の表面28を覆う略矩形シート状の光学シートである集光シート31が取り付けられている。この集光シート31は、プリズム導光体26の表面28から出射される面状の光を集光させる。さらに、この集光シート31の表面には、この集光シート31の表面を覆う略矩形シート状の光学シートである拡散シート32が取り付けられている。この拡散シート32は、プリズム導光体26の表面28から照射されて集光シート31にて集光された光を拡散させて、この集光シート31とともにプリズム導光体26の表面28の面内輝度の均一化や輝度の向上を図る。
【００２７】
また、このプリズム導光体26の裏面27には、矩形シート状の光学シートである反射シート33が取り付けられている。この反射シート33は、プリズム導光体26の裏面27に沿って取り付けられており、このプリズム導光体26の裏面に対して接着されて固定されていない。言い換えると、この反射シート33は、プリズム導光体26の液晶表示パネル２と反対側に配置されている。また、この反射シート33は、このプリズム導光体26の内部からこのプリズム導光体26の裏面27を介して外部へと照射される光を、このプリズム導光体26の表面28側に向けて反射させる。
【００２８】
さらに、この反射シート33のプリズム導光体26の反対側である裏面側には、この反射シート33をプリズム導光体26の高さ方向に向けて固定させる移動規制部としての細長矩形シート状の固定シート34が貼り付けられて固定されている。この固定シート34は、反射シート33の幅方向に長手方向を沿わせた状態で取り付けられている。言い換えると、この固定シート34は、反射シート33のプリズム導光体26と反対側に配置されている。そして、この固定シート34は、フレーム41と一体的に形成された支持片部47と当接することにより、プリズム導光体26に対する反射シート33の高さ方向への移動を規制する。すなわち、この支持片部47は、固定シート34に対するストッパの機能を有している。
【００２９】
一方、プリズム導光体26の光入射面25に対向して配設された冷陰極管22は、略コ字状に湾曲したシート状の反射体としてのランプリフレクタ35にて周方向に亘って覆われている。このランプリフレクタ35は、冷陰極管22からの光を内側面で反射させて、この反射した光をプリズム導光体26の光入射面25へと効率良く入射させる。
【００３０】
さらに、このランプリフレクタ35の高さ方向における一側部である上端部36は、プリズム導光体26の光入射面25側の表面28と拡散シート32との間に挟まれて、これらプリズム導光体26と拡散シート32との間に位置する集光シート31の一側縁よりもプリズム導光体26の光入射面25よりに位置している。そして、このランプリフレクタ35の高さ方向における他側部である下端部37は、このランプリフレクタ35の上端部36よりもプリズム導光体26の非光入射面29側に向けて突出している。さらに、このランプリフレクタ35の下端部37は、反射シート33の表面の高さ方向における一側部である下端側を覆っている。
【００３１】
そして、集光シート31および拡散シート32が表面28に取り付けられ、反射シート33が裏面27に取り付けられ、冷陰極管22およびランプリフレクタ35が光入射面25側に取り付けられたプリズム導光体26は、略矩形平板状のフレーム41の一主面である表面側に収容されて保持されている。このフレーム41は、バックライト21のプリズム導光体26、冷陰極管22および反射シート33を保持しつつ、これらプリズム導光体26、冷陰極管22および反射シート33のそれぞれを液晶表示パネル２の裏面側に取り付けさせる。
【００３２】
言い換えると、このフレーム41は、プリズム導光体26、冷陰極管22および反射シート33のそれぞれをベゼル11における液晶表示パネル２の反対側に保持して固定する。また、このフレーム41は、プラスチックなどの合成樹脂製であり、矩形枠状の本体部42を備えている。この本体部42の表面側は、液晶表示パネル２の裏面側に対向して当接し、この液晶表示パネル２とともにベゼル11に収容される。
【００３３】
さらに、この本体部42の一端部であるバックライト21のプリズム導光体26の非光入射面29側には、このプリズム導光体26の非光入射面29側が嵌合されて保持される段状の嵌合段部43が設けられている。ここで、この嵌合段部43におけるフレーム41の表面側に向いた底面部44の基端側には、この底面部44の長手方向である幅方向に沿って細長テープ状のテープ体としての両面テープ45が貼り付けられている。そして、この両面テープ45は、バックライト21をフレーム41に嵌合させて保持させた状態で、このバックライト21のプリズム導光体26の非光入射面29側の裏面に貼り付けられて、このプリズム導光体26の非光入射面29側をフレーム41の高さ方向における上端側に貼り付けさせて固定させる。
【００３４】
そして、フレーム41の嵌合段部43の底面部44の基端側には、バックライト21をフレーム41に嵌合させて保持させた際に、このバックライト21のプリズム導光体26の裏面に配設される反射シート33の上端側の縁部が当接して保持される当接段部46が設けられている。この当接段部46は、フレーム41の幅方向に沿って設けられており、反射シート33の高さ方向における上端側への移動を規制する。
【００３５】
また、このフレーム41の高さ方向における他端側である下端側には、バックライト21のプリズム導光体26を支持する細長平板状の支持片部47が一体的に設けられている。この支持片部47は、フレーム41の幅方向に沿った長手方向を有しており、この支持片部47の表面の下端側には、この支持片部47に支持されるバックライト21のランプリフレクタ35の下端部が当接して保持される保持段部48が長手方向に沿って形成されている。よって、この支持片部47は、フレーム41の表面側にバックライト21を嵌合させて保持させた際に、固定シート34よりも冷陰極管22側に位置するとともに、バックライト21の反射シート33とランプリフレクタ35の下端部37とを覆って、これら反射シート33およびランプリフレクタ35の下端部37を支持する。
【００３６】
さらに、この支持片部47の高さ方向における一側面としての上側面には、反射シート33の裏面側に取り付けられた固定シート34の高さ方向における下端側の側面に当接する当接面49が設けられている。この当接面49は、固定シート34の下端側の側面に向けて突出し、この固定シート34の下端側の側面に当接している。また、この当接面49は、反射シート33の高さ方向における位置を位置決めして固定させている。すなわち、この支持片部47は、固定シート34との当接により、プリズム導光体26およびフレーム41それぞれに対する反射シート33の高さ方向への移動を規制して、この反射シート33の衝撃時や温度上昇時に生じ得るずれや移動を防止する。なお、この反射シート33は、フレーム41の当接段部46および支持片部47のいずれに対しても、例えば両面テープなどにより接着されて固定されていない。同時に、この反射シート33は、バックライト21のプリズム導光体26の裏面側に対しても、例えば両面テープなどにより接着されて固定されていない。
【００３７】
次に、上記一実施の形態の作用を説明する。
【００３８】
まず、ハウジングからケーブル24を介して冷陰極管22へと電気エネルギを供給して、この冷陰極管22を発光させる。
【００３９】
すると、この冷陰極管22から発光した線状の光は、直接に、もしくはこの冷陰極管22を覆うランプリフレクタ35の内側面にて反射されてプリズム導光体26の光入射面25へと入射する。
【００４０】
そして、このプリズム導光体26の光入射面25へと入射した光は、このプリズム導光体26の裏面27に形成されたプリズム、およびこの裏面27側に取り付けられた反射シート33によって、このプリズム導光体26の表面28側に向けて面状に変換されて、このプリズム導光体26の表面28から出射される。
【００４１】
この後、このプリズム導光体26の表面28から出射された面状の光は、集光シート31を透過してこの集光シート31により集光された後、拡散シート32を透過してこの拡散シート32により拡散されて、これらの集光シート31および拡散シート32によってプリズム導光体26の表面28の面内輝度の均一化や輝度の向上が図られる。
【００４２】
さらに、これら集光シート31および拡散シート32を透過した面状の光は、液晶表示パネル２の表示画面エリア３へと照射される。
【００４３】
そして、この液晶表示パネル２の表示画面エリア３へと照射した光は、この液晶表示パネル２の表示画面エリア３を選択的に透過して使用者の目に入り、この液晶表示パネル２の表示画面エリア３にて表示される画像が使用者に視認される。
【００４４】
上述したように、上記一実施の形態によれば、反射シート33をプリズム導光体26とともにフレーム41の本体部42内に嵌合させた際に、このフレーム41の下端側に設けられた支持片部47の上端側の側面に固定シート34の下端側の側面が当接してストッパとなるように、この固定シート34を反射シート33の裏面27側に取り付けた。
【００４５】
この結果、この反射シート33をプリズム導光体26の裏面27に対して両面テープなどで貼り付けて接着させて固定させたり、この反射シート33をフレーム41の当接段部46や支持片部47に対して両面テープなどで貼り付けて接着させて固定させたりすることなく、固定シート34による支持片部47の当接により、この反射シート33によるプリズム導光体26およびフレーム41に対する平面方向に沿った下端側への移動が規制される。
【００４６】
したがって、この反射シート33によるプリズム導光体26およびフレーム41に対する下端側への移動を簡単な構成で確実に防止できるとともに、この反射シート33の上端側を両面テープや片面テープなどでプリズム導光体26およびフレーム41に対して貼り付けて接着させて固定させる必要性を無くすことができる。
【００４７】
このため、このフレーム41の嵌合段部43に対してプリズム導光体26を両面テープ45で貼り付けて固定させるだけでよいので、この両面テープ45を一重にできるから、これらプリズム導光体26、反射シート33およびフレーム41間の厚さをより薄くできる。よって、比較的大型でかつ狭額縁の液晶表示装置１であっても、携帯性に優れた薄型化が簡単な構成で可能となるとともに品質向上を達成できる。このとき、特に、フレーム41の上端側の厚さがより薄くなるので、このフレーム41の上端側の裏面側にドライバ回路６などの収容スペースをより確保できる。
【００４８】
同時に、フレーム41の当接段部46などに対して反射シート33の上端部を両面テープなどで貼り付ける必要がなくなったことにより、この反射シート33の上端部を図示しない両面テープなどでフレーム41に接着させて固定させた際に、この両面テープがフレーム41から剥がれて液晶表示パネル２の表示画面エリア３内へと移動して、この表示画面エリア３内に両面テープが現れるなどの不具合を簡単な構成で確実に防止できる。
【００４９】
さらに、フレーム41の当接段部46に対する反射シート33の上端部のオーバーラップ量を少なくしても、このフレーム41の当接段部46からの反射シート33の外れを確実に防止できるので、このフレーム41をより薄型化できるから、液晶表示装置１をより薄型化できる。
【００５０】
また、フレーム41の嵌合段部43の基端側でバックライト21のプリズム導光体26の上端縁を嵌合して保持させたので、このフレーム41の嵌合段部43の先端側でプリズム導光体26の上端縁を嵌合して保持させる場合に比べ、このプリズム導光体26をフレーム41にて保持することによるフレーム41に対するストレスを低減できる。
【００５１】
なお、上記一実施の形態では、光変調層を液晶層とした液晶表示装置１について説明したが、液晶表示装置１以外の平面表示装置であっても、対応させて用いることができる。
【図面の簡単な説明】
【００５２】
【図１】本発明の平面表示装置の一実施の形態を示す説明断面図である。
【符号の説明】
【００５３】
１    平面表示装置としての液晶表示装置
２    平面表示パネルとしての液晶表示パネル
３    表示領域としての表示画面エリア
21    面状光源装置としてのバックライト
22    管状光源としての冷陰極管
26    導光体としてのプリズム導光体
33    光学シートとしての反射シート
34    移動規制部としての固定シート
41    フレーム
45    テープ体としての両面テープ
47    支持片部
【図１】
2005085584.tif 000003